(57)【要約】毛髪乾燥／スタイリング用電気器具（１０）は、使用者の毛髪にイオンを方向付ける、イオン放射回路を備え、この器具において、イオンの出力レベルは、可変性であり、かつ、使用者によって調節可能である。好ましい実施形態において、ハウジング（１２）上にある一連のライト（４４）のようなインジケーターは、イオンの出力レベルを示す。本発明は、１つの局面において、ハンドル部分と、ハンドル部分に交換可能に取り付け可能な複数の毛髪スタイリング用アタッチメントを備える、毛髪をスタイリングするための電気器具を提供する。
2007528272.tif 000002
【特許請求の範囲】
【請求項１】
毛髪を乾燥またはスタイリングするための電気器具であって、以下：
ハウジング；
加熱要素；
該電気器具から加熱された空気を排気するためのファン；
該加熱された空気を所望の位置に方向付けるための出口；
陽電極と陰電極とを備え、排気される空気の流れに、イオンを放つように位置決めされた、イオンエミッターデバイス；
該イオンエミッターに接続された、イオン発生装置；
該イオン発生装置に接続され、該イオンの出力を調節するための制御装置を備える、可変量の出力調節器；および
該イオン発生装置に応答して、イオンの出力レベルを有効に示すように接続された、複数のインジケーターライト
を備える、電気器具。
【請求項２】
さらに、ヘアドライヤーとして規定される、請求項１に記載の電気器具。
【請求項３】
前記ライトが、ネオンライトである、請求項１に記載の電気器具。
【請求項４】
前記イオン発生装置が、３つの出力範囲で調節可能であり、ここで、該範囲の各々が、１以上のライトの照明により示される、請求項１に記載の電気器具。
【請求項５】
前記複数のライトが、前記ハウジングの各側部に３つのライトを備え、前記イオン発生装置の出力が、調節可能であり、そしてさらに、低出力範囲において、該ハウジングの各側部にある１つのライトが照射され、中出力範囲において、該ハウジングの各側部にある２つのライトが照射され、そして、高出力範囲において、該ハウジングの各側部にある３つのライトが照射される、請求項１に記載の電気器具。
【請求項６】
請求項５に記載の電気器具であって、該電気器具は、前記ライトを覆うハウジング内に複数の半透明の窓を備え、その結果、該ライトの各々が、複数の半透明の窓を照射する、電気器具。
【請求項７】
前記ライトの各々が、４つの半透明の窓を照射する、請求項６に記載の電気器具。
【請求項８】
前記ライトが、有色のライトである、請求項１に記載の電気器具。
【請求項９】
前記ライトが、白色ライトであり、前記半透明の窓が、有色である、請求項６に記載の電気器具。
【請求項１０】
毛髪を乾燥またはスタイリングするための電気器具であって、該電気器具は、使用時に、使用者の毛髪にマイナスイオンを方向付けるように構成されたイオンエミッターを備え、該イオンの流量は、使用者によって調節され得、そしてさらに、該電気器具は、該イオンのレベルの視覚的なインジケーターを備える、電気器具。
【請求項１１】
前記インジケーターが、イオンの選択された発生レベルに応答して点灯される一連のライトである、請求項１０に記載の電気器具。
【請求項１２】
前記ライトが、ネオンライトである、請求項１１に記載の電気器具。
【請求項１３】
前記インジケーターが、１以上のＬＥＤ、液晶ディスプレイ、または１以上のネオンライトを備える、請求項１０に記載の電気器具。
【請求項１４】
さらに、ヘアドライヤーとして規定される、請求項１０に記載の電気器具。
【請求項１５】
さらに、ヘアドライヤー、温風ブラシ、巻き毛用アイロン、またはストレートヘア用アイロンとして規定される、請求項１０に記載の電気器具。
【請求項１６】
毛髪をスタイリングするための電気器具であって、該電気器具は、ハンドル部分と、該ハンドル部分に交換可能に取り付け可能な複数の毛髪スタイリング用アタッチメントを備え、ここで、該ハンドルは、該アタッチメントを加熱するための加熱システムと、荷電したイオンを発生させて、該イオンを該アタッチメントを通して方向付けるためのイオン発生システムとを備え、該イオンの発生レベルは、調節可能であり、そして、さらに、該アタッチメントは、使用時に、使用者の毛髪にイオンを流すための小穴を備える、電気器具。
【請求項１７】
前記アタッチメントが、巻き毛用アイロン／ストレートヘア用アイロンの組み合わせ、スタイリングブラシ、またはコンセントレーターを備える、請求項１６に記載の電気器具。
【請求項１８】
毛髪をスタイリングするための電気器具であって、該電気器具は、ハンドル部分と、使用者の毛髪に接して該毛髪をスタイリングするための管状のバレルとを備え、該バレルは、以下：
フリッパー；
該フリッパーに作動可能に接続され、かつ、該バレルの外側表面と適合するように構成された、巻き毛用アイロントングであって、該フリッパーを押すことにより、該バレルから該トングが離れて上がる、巻き毛用アイロントング；および
該トングを該バレルに対してロックして、該フリッパーが押されたときに、該トングの上昇を防止するための、スイッチ；
を備え、
該バレルは、該バレルの長軸に沿って、上側部分および下側部分に分かれ、該上側部分および該下側部分は、各々実質的に半円形の断面形態であり、そして、該２つの半体は、対向する実質的に平面的な表面を備え、その結果、該バレルが、閉じた位置にあるとき、該２つの平面的な表面は、互いに接触し、
該上側部分および該下側部分は、各々の一端でヒンジに接続され、そして、該フリッパーに作動可能に接続されており、その結果、該トングがロックされ、かつ該フリッパーが押されたときに、該２つの半体が、平面的なストレートヘア用アイロンを提供する開位置へと分離する、
電気器具。
【請求項１９】
前記バレルが、前記ハンドル部分から取り外し可能である、請求項１８に記載の電気器具。
【請求項２０】
前記ハンドルが、イオン発生回路と、加熱コイルと、加熱された空気およびイオンを前記バレル部分に推進するように構成された、送風機とを備え、そして、該バレルは、使用時に使用者の毛髪にイオンを方向付けるための小穴を備える、請求項１８に記載の電気器具。
【請求項２１】
前記イオン発生回路が、該回路により発生されるイオンレベルを調節するように機能する、電圧調節器を備える、請求項２０に記載の電気器具。
【発明の詳細な説明】
【技術分野】
【０００１】
本開示は、マイナスイオン技術を組み込んだ、毛髪スタイリング／乾燥用デバイス（例えば、温風ドライヤー（ｈｏｔ  ａｉｒ  ｄｒｙｅｒ）、温風ブラシ（ｈｏｔ  ａｉｒ  ｂｒｕｓｈ）、巻き毛用アイロン（ｃｕｒｌｉｎｇ  ｉｒｏｎ）、およびストレートヘア用アイロン（ｆｌａｔ  ｓｔｒａｉｇｈｔｅｎｅｒ））に関し、より具体的には、マイナスイオンの出力が、使用者によって調節可能なデバイスに関する。
【発明の開示】
【課題を解決するための手段】
【０００２】
（要旨）
イオン流の調節は、異なる毛髪の質を有する使用者が、その特定の毛髪に合ったレベルにイオン流を調節することを可能にする。例えば、低い範囲のイオン流は、細い毛髪に適切であり、中程度の範囲の設定は、通常の毛髪に適切であり、そして、高い範囲の設定は、好ましくは、太い毛髪に使用される。このようにして、使用者の毛髪は、静電気によって生じる発泡性の効果を伴うことなく、乾燥およびスタイリングされ得、そしてさらに、妥当なイオン流は、ボリュームを維持しながら、薄い毛髪が過剰に水分補給することを防止する。
【０００３】
本開示の好ましい実施形態において、毛髪乾燥／スタイリング用電気器具は、可変量の負に荷電したイオンの出力を可能にする制御回路と共に、電圧発生器モジュールを提供する。制御回路は、電気器具の使用者により制御される可変量の出力デバイス（例えば、加減抵抗器または可変抵抗器）を用いることによって、負の静電気出力が低〜中〜高の範囲にわたることを可能とする。この制御回路はまた、可変量の静電気出力が一連のライトまたは他の視覚的なインジケーターによって視覚的に示されることを可能にする。マイナスイオンの出力が増加するにつれて、照射されるライトまたは他の視覚的なインジケーターの数が増加する。このようにして、使用者は、マイナスイオンの出力量を迅速かつ容易にモニターし得、そして、それに従ってマイナスイオンの出力量を調節し得る。
【０００４】
添付の図面は、本明細書の一部を構成し、そして、本発明の特定の局面をさらに示すために含められる。本発明は、本明細書中に示される特定の実施形態の詳細な説明と組合せて、１以上のこれらの図面を参照することによって、より良く理解され得る。
【発明を実施するための最良の形態】
【０００５】
（詳細な説明）
本発明の一実施形態は、図１に斜視図で示されるようなヘアドライヤー１０であり得る。他の乾燥／スタイリング用電気器具（例えば、温風ブラシ）もまた、本開示の範囲内に包含されることが理解される。ヘアドライヤー１０は、主要本体部分であるハウジング１２とハンドル部分１４とを備える。ハンドル部分は、電源／ファンの速度１６および温度１８のためのスイッチを備える。好ましい実施形態において、ファンの速度スイッチ１６は、オフ、低および高の設定を備える。温度スイッチ１８は、好ましくは、熱い、暖かい、または冷たい温度設定を提供する。ハンドル部分１４はまた、冷却スイッチ２０を備え得、このスイッチは、作動された場合には、加熱コイルを作動させることなく、ファンに空気を排気させる。
【０００６】
ハウジング１２は、温風が流れるための入口４２および出口４０を提供し、そして出口は、気流コンセントレーター（ｃｏｎｃｅｎｔｒａｔｏｒ）、ディフューザー（ｄｉｆｆｕｓｅｒ）、または他の当該分野で公知の標準的なアタッチメントの取り付けのために構成される。また、ハウジングの片側に示されるのは、一連のライト４４であり、これは、イオンの出力レベルを示す。示される実施形態において、デバイスの各側面上にある４つのライトの１セットの各々が、イオン流の範囲を示す。例えば、イオン流れが、低い範囲内に設定される場合、側面につき４つのライトのうち１セットが照射され、イオン流れが、中程度の範囲内に設定される場合、側面につき４つのライトのうち２セットが照射され、そして、イオン流が、高い範囲内に設定される場合、４つのライトのうち３セットが照射される。記載されるように、特定の実施形態において、そして、図２に示されるように、ライトまたは視覚的なインジケーターのセットは、ハウジングの両側にあり得、従って、ライトの配置の説明は、デバイスの片側についてであり得るが、このデバイスは、デバイスの両側に対応するインジケーターシステムを備える。あらゆる型の視覚的ディスプレイが、イオン流を示すために使用され得ることが理解される。これらとしては、ネオンライト、白熱電球、蛍光ランプ、発光ダイオード（ＬＥＤ）、液晶ディスプレイ（ＬＣＤ）、または任意の他の型の当該分野で公知の視覚的ディスプレイが挙げられる。特定の実施形態において、３つのネオンライトが、半透明の窓の下で、ハウジング内に配置される。この半透明の窓は、下にある光源からの光を透過する。各光源は、単一もしくは複数の窓と関係していてもよいことがまた理解される。特定の実施形態において、照射されたネオンの各々は、ハウジングの表面上の４つのライトのように見える。下にあるライトが有色であっても、半透明の窓が有色であっても、あるいは、いずれもが有色でなくてもよい。特定の実施形態において、全てのライトが同じ色であっても、全てのライトがイオン流の異なるレベルを示すために異なる色であってもよい。
【０００７】
好ましい実施形態の背面図が、図２に示される。この図において、イオン流調節デバイス６０が見られ得る。ホイールとして構成され得るこのデバイス６０は、上記のように、低、中または高のイオン流の選択を可能にする。いくつかの実施形態は、イオン流の特定のレベルのための個別の「停止」を備え得るか、または、最低〜最高の設定の連続した範囲が利用可能であり得る。
【０００８】
好ましい実施形態の断面図が、図３に示される。示される実施形態は、ヘアドライヤー１０であり、このヘアドライヤー１０のハウジング１２は、加熱コイル６６、およびファンハウジング６２内に収容されたファン８４を収容し、そして、モーター６４により駆動され、従来のヘアドライヤーにおいてと同じように、この両方は、スイッチ１６、１８によって制御される。図３に示される実施形態はまた、使用者の毛髪にマイナスイオンを方向付けるためのシステムを備える。このシステムは、イオンエミッター６８に接続された、イオン発生装置８０を備える。イオンエミッターは、加熱コイル６６の領域内に配置され、そして、放たれたイオンが、ファン８４によって生成された気流と共に、空気出口４０から出るように方向付けられる。イオン発生装置は、イオン選択調節器６０に接続され、そして、イオン選択調節器６０により制御される。
【０００９】
上記のように、好ましい実施形態は、使用者が選択したイオンの出力レベルを示すための、一連のライトを備える。３つのインジケーターライト８２が、図３に示される。このインジケーターライトは、各々、記載されるように、半透明の窓４４を照射するために、反射体９０の上に配置される。示される実施形態において、４つの窓の各セットは、単一のネオン電球８２により照射される。図３にはまた、記載される機能を制御するための電子回路を備える、プリント基板８６が示される。
【００１０】
図３に示される実施形態において、ハンドル部分１４はまた、フック上にこのデバイスを掛けるために使用され得る、ループ８８を備える。ハンドルはまた、電気コードのための差込口（ｅｎｔｒｙ）を提供するが、これは、図面に示されていない。
【００１１】
本開示の好ましい実施形態はまた、図５に示されるような毛髪スタイリングデバイスであり得る。図５に示される実施形態は、種々の交換可能なアタッチメント（例えば、巻き毛用アイロン、ストレートヘア用アイロン、スタイリングブラシ、巻き毛用アイロン／ストレートヘア用アイロンの組み合わせ、またはコンセントレーター）と共に使用され得るハンドル１００を備える。ハンドルは、電源スイッチ１０２およびＬＥＤ電源インジケーター１０４を備える。加熱回路は、ハンドル内に収容され、そして、アタッチメント、が使用者の毛髪に熱を適用することができるように、デバイスのアタッチメントに熱を方向付ける。電圧発生器モジュールは、可変量の負に荷電したイオン出力を可能にする制御装置回路と共に、ハンドル内に収容され、そして、イオンアクチュエータ１０６が提供される。図面に示されるアクチュエータ１０６は、アタッチメントへのイオン流を調節するために使用され得るホイールデバイスであり、従って、可変量のイオンの出力レベルが、使用者の毛髪に方向付けられる。他の構成（例えば、レバーまたは一連のスイッチが挙げられるがこれらに限定されない）もまた使用され得ることが理解される。ヘアドライヤーの実施形態について記載されたように、一連のインジケーター１０８は、イオンの出力レベルを示すために、ハンドルのいずれかの側に提供される。好ましいインジケーターは、小さなネオンライトまたはＬＥＤである。ハンドルはさらに、電気コンセント（ｅｌｅｃｔｒｉｃａｌ  ｏｕｔｌｅｔ）に接続するためのコードアタッチメント１１０を提供する。
【００１２】
好ましい実施形態において、アタッチメントは、ハンドル上にスナップ固定され、そして、解放ボタン１１４を押すことによって解放される。取り外し可能な巻き毛用アイロン／ストレートヘア用アイロンの組み合わせアタッチメント１１２は、図５において、ハンドルに取り付けられた状態で示されている。アタッチメントは、熱い表面から使用者を保護するために、バレル１１６および冷却先端１１８を備える。アタッチメントは、フリッパー１２２によって制御される、巻き毛用アイロントング１２０を備える。従来の巻き毛用アイロンにおいてと同じように、使用者は、フリッパーを押すことによってトングを開き、頭毛の一部をバレルの周りに巻き付け、そして、トングを閉じて、毛髪をバレルに対して保持し、そして、毛髪の一部に、カールを与える。また、上記のように、ハンドル内に収容されるイオン発生システムからのイオン流のための、バレルおよびフリッパー内の小穴１２４または開口部が示される。これらの小穴は、使用時に、使用者の毛髪に、可変量のイオン出力が流れることを可能にする。
【００１３】
図６に示されるように、使用者が、フリッパー１２２を押すと、巻き毛用アイロントングが上がり、そして、アタッチメントが、巻き毛用アイロンとして使用され得る。図７に示されるように、ロックスイッチ１２６が係合され得、巻き毛用アイロントングが、フリッパーにより持ち上げられることを防止する。フリッパーを押すことによって、下側半体１３２からバレルの上側半体１３０が持ち上がり、そして、アタッチメントは、加熱されるバレルの上側半体および下側半体の対抗する表面の間に、毛髪の房を入れて、この毛髪の房の上でバレル閉じることによって、ストレートヘア用アイロンとして使用され得る。図７に示され得るように、バレル半体の内側表面はまた、イオンが、小穴１２４を通って、使用者の毛髪へと流れることを可能にする。
【００１４】
スタイリングブラシアタッチメント１４０が、図８において、ハンドル１００に取り付けられた状態で示される。このスタイリングブラシアタッチメントは、バレル１４２、冷却先端１４４を備え、そしてさらに、スタイリングブラシとして使用するための、バレルの周りで間隔を空けた、堅い毛１４６を備える。この堅い毛は、任意の適切な材料（ナイロンまたはイノシシの毛が挙げられるがこれらに限定されない）から作製され得る。スタイリングブラシの穴の開いたバレルは、調節可能なイオン流が、使用者の毛髪に到達することを可能にする。代表的なバレルは、直径約１．５インチであり得るか、または、所望されるように、これより大きくても小さくてもよい。
【００１５】
本明細書中に開示され、そして特許請求される装置の全ては、本開示を考慮して、過度の実験を伴うことなく、作製および実行され得る。本発明の装置は、好ましい実施形態の観点から説明されてきたが、代替的な実施形態が、過度の実験を伴うことなく、関連分野の当業者によってなされ得ることは、当業者に明らかである。当業者に明らかな、開示される実施形態の全てのこのような類似の代替、改変および形式は、添付の特許請求の範囲により規定される、本発明の精神、範囲および概念内であると判断される。
【図面の簡単な説明】
【００１６】
【図１】図１は、毛髪乾燥／スタイリング用デバイスの好ましい実施形態の斜視図である。
【図２】図２は、図１に示される実施形態の背面立面図である。
【図３】図３は、図１に示される実施形態の断面図である。
【図４】図４は、ヘアドライヤーの実施形態において使用するための、例示的な電気回路である。
【図５】図５は、毛髪スタイリング用デバイスの好ましい実施形態の斜視図である。
【図６】図６は、図５に示される毛髪スタイリング用デバイスの斜視図であり、トングが、巻き毛用アイロンとして使用するために開いた状態である。
【図７】図７は、図５に示される毛髪スタイリング用デバイスの斜視図であり、バレルが、ストレートヘア用アイロンとして使用するために開いた状態である。
【図８】図８は、毛髪スタイリング用デバイスの好ましい実施形態の斜視図であり、この図において、アタッチメントは、スタイリングブラシである。
【図１】
2007528272.tif 000003
【図２】
2007528272.tif 000004
【図３】
2007528272.tif 000005
【図４】
2007528272.tif 000006
【図５】
2007528272.tif 000007
【図６】
2007528272.tif 000008
【図７】
2007528272.tif 000009
【図８】
2007528272.tif 000010
【国際調査報告】
2007528272.tif 000011